(57)【要約】【課題】  ダンパの軸方向に沿う水槽の振動に対して充分な減衰力が効果的に得られるだけでなく、水槽の傾きに対する減衰力も充分に得られるようにする。【解決手段】  ドラム３０を内設する水槽２７を、ダンパ３３及びこれに積層した防振ゴム３５，３６，４３により支持するものにおいて、その防振ゴム３５，３６，４３を、その輪郭が、水槽２７の特定方向の振動に対し、その振動の方向と直交する方向と平行に直線状を成す部分を有する形状とした。これにより、大きな反力を生じる、防振ゴム３５，３６，４３の水槽２７軸心からの距離の大きな部分が多くなり、それだけ、総合的に大きな反力を生じるようになって、水槽２７の傾きに対する減衰力が充分に得られるようになる。【選択図】  図１
2006061613.tif 000002
【特許請求の範囲】
【請求項１】
ドラムを内設する水槽を、ダンパ及びこれに積層した防振弾性部材により支持するものにおいて、
前記防振弾性部材を、その輪郭が、前記水槽の特定方向の振動に対し、その振動の方向と直交する方向と平行に直線状を成す部分を有する形状としたことを特徴とするドラム式洗濯機。
【請求項２】
防振弾性部材輪郭の直線状部分がドラムの軸方向と平行であることを特徴とする請求項１記載のドラム式洗濯機。
【請求項３】
防振弾性部材を、その輪郭が、水槽の複数の特定方向の振動に対し、その各振動の方向と直交する方向と平行にそれぞれ直線状を成す部分を有する形状としたことを特徴とする請求項１記載のドラム式洗濯機。
【請求項４】
防振弾性部材とこれが面する支持部材とが、常時は、防振弾性部材輪郭の直線状部分側より内側で接し、防振弾性部材輪郭の直線状部分側で接触しないようになっていることを特徴とする請求項１記載のドラム式洗濯機。
【請求項５】
防振弾性部材がダンパの上下両側に存して、その両方の防振弾性部材が対称形状となっていることを特徴とする請求項１ないし４のいずれかに記載のドラム式洗濯機。
【発明の詳細な説明】
【技術分野】
【０００１】
本発明は、ドラムを内設する水槽を、ダンパ及びこれに積層した防振弾性部材により支持する構成のドラム式洗濯機に関する。
【背景技術】
【０００２】
従来より、ドラム式洗濯機においては、ドラムが水槽に内設されている。ドラムは横軸回転するものであり、モータにより回転駆動され、内部に収容した洗濯物の洗濯及び脱水を行い、更に乾燥まで行うようになったものもある。しかして、その洗濯の終了時には洗濯物がドラム内に片寄って位置したままとなることがあり、この状態で脱水を開始すると、片寄って位置した洗濯物の遠心力により大きな振動が発生することが知られている。
これに対処するために、水槽はダンパにより支持され、振動が低減（減衰）されるようになっている。又、そのダンパには、防振ゴムが防振弾性部材として積層され、クッションの働きをするようになっている。
【０００３】
図１３は、その支持構造を一組で代表して示しており、洗濯機外殻の台板（図示せず）に固定された下部支持板１の上下に防振ゴム２，３が配置され、これらをダンパ４の可動ロッド４ａの下部が貫通して、下方部でワッシャ５を介しナット６締めして固定されている。
ダンパ４は、例えば摩擦ダンパであり、可動ロッド４ａの上部に取付けたゴムなど摩擦部材（図示せず）をシリンダ４ｂの内部に密に接触させて有している。このダンパ４のシリンダ４ｂと前記下部支持板１上の防振ゴム２との間には、スプリング７が上下にそれぞれワッシャ８，９を介して配設されている。
【０００４】
他方、水槽（図示せず）に固定された上部支持板１０の上下には防振ゴム１１，１２が配置され、これらをダンパ４のシリンダ４ｂ上における固定シャフト部４ｃが貫通して、上方部でワッシャ１３を介しナット１４締めして固定されている。
かくして、ドラムを内設する水槽が、ダンパ４及びこれに積層した防振ゴム（防振弾性部材）２，３、１１，１２により支持される構成となっている。
【０００５】
そして、この構成で、防振ゴム２，３、１１，１２は、図１４及び図１５のそれぞれ（ａ）に平面図で、それぞれ（ｂ）に縦断側面図で示すように、いずれも円盤形を成しており、但し、防振ゴム２，１２は、中心部に上記ダンパ４の可動ロッド４ａ、固定シャフト部４ｃがそれぞれに貫通する孔２ａ，１２ａを有すると共に、凸部２ｂ，１２ｂを有し、防振ゴム３，１１は、中心部に同じく上記ダンパ４の可動ロッド４ａ、固定シャフト部４ｃがそれぞれに貫通する孔３ａ，１１ａを有すると共に、防振ゴム２，１２の上記凸部２ｂ，１２ｂがそれぞれに嵌合する凹部３ｂ，１１ｂを有している。
【特許文献１】特開２００１−２１２３９５号公報
【発明の開示】
【発明が解決しようとする課題】
【０００６】
上記従来のものの場合、ダンパ４の可動ロッド４ａの軸方向に沿う水槽の振動に対しては、ダンパ４にて減衰力が効果的に得られるものの、その振動に伴う水槽の傾きに対する減衰力は、ダンパ４では得られず、防振ゴム２，３、１１，１２の弾性力にて副次的に小さく得られるに過ぎず、従って、水槽の傾きに対する減衰力が充分に得られないものであった。
【０００７】
本発明は上述の事情に鑑みてなされたものであり、従ってその目的は、ダンパの軸方向に沿う水槽の振動に対して充分な減衰力が得られるだけでなく、水槽の傾きに対する減衰力も充分に得ることのできるドラム式洗濯機を提供するにある。
【課題を解決するための手段】
【０００８】
上記目的を達成するために、本発明のドラム式洗濯機においては、ドラムを内設する水槽を、ダンパ及びこれに積層した防振弾性部材により支持するものにおいて、前記防振弾性部材を、その輪郭が、前記水槽の特定方向の振動に対し、その振動の方向と直交する方向と平行に直線状を成す部分を有する形状としたことを特徴とする。
【発明の効果】
【０００９】
発明者が、従来のもので水槽の傾きに対する減衰力が充分に得られない原因を探究したところ、下記のことが判明した。
水槽が振動して傾いたとき、図１６に示すようになる。なお、この図１６は、水槽が傾いた状態を、図中左下がりに傾いた状態で代表して示している。水槽が傾いたとき、防振弾性部材では、水槽の軸心からの距離に比例又は反比例して反力が発生し、これが水槽の傾きに対する減衰力として作用する。
【００１０】
従来の防振弾性部材（防振ゴム２，３、１１，１２）は、いずれも円盤形であるため、その円弧に沿って水槽の軸心からの距離が異なり、それに応じて、得られる反力も異なる。一例として図１６に示した水槽の傾きでは、防振ゴム１１，３で、図１７に矢印Ｐで示すように、水槽の軸心からの距離の最も大きな部分からその距離が小さくなるに連れ、反力Ｐが漸次小さくなる分布となり、反対に、防振ゴム２，１２で、図１８に同じく矢印Ｐで示すように、水槽の軸心からの距離の最も小さな部分からその距離が大きくなるに連れ、反力Ｐが漸次小さくなる分布となる。このため、従来のものでは、水槽の傾きに対する減衰力が充分に得られなかったのである。
【００１１】
これに対して、上述のように、防振弾性部材を、その輪郭が、前記水槽の特定方向の振動に対し、その振動の方向と直交する方向と平行に直線状を成す部分を有する形状としたものでは、大きな反力を生じる、水槽の軸心からの距離の大きな部分又は小さな部分が多くなり、それだけ、総合的に大きな反力を生じるようになって、水槽の傾きに対する減衰力が充分に得られるようになる（図６及び図７参照）。
【発明を実施するための最良の形態】
【００１２】
以下、本発明の第１実施例（第１の実施形態）につき、図１ないし図７を参照して説明する。
まず、図１には、ドラム式洗濯機の全体を縦断側視して示しており、台板２１と、これに載置結合した外箱２２、及び外箱２２に被着したトップカバー２３とで、外殻２４を組成している。なお、トップカバー２３には、洗濯物出入口２５を形成すると共に、該出入口２５を開閉する例えば二つ折り構造の蓋２６を枢設している。
【００１３】
外殻２４の内部には、水槽２７を配設しており、この水槽２７は左右（図１の紙面と直交する方向）が軸方向の円筒形にて、上部に洗濯物通し口２８を有し、それを水槽蓋２９で開閉するようにしている。又、水槽２７の内部には、ドラム３０を配設しており、このドラム３０も左右（図１の紙面と直交する方向）が軸方向の円筒形にて、上部に洗濯物通し口３１を有し、それをドラム蓋３２で開閉するようにしている。
【００１４】
又、ドラム３０は、水槽２７の側面部に取付けたモータ（図示せず）により横軸回転駆動されるようになっており、従って、ドラム３０はそのモータを介して水槽２７と一体化され、その構成で、ドラム３０の内部に収容した洗濯物の洗濯及び脱水をドラム３０の回転により行い、更に乾燥までドラム３０の回転により行うようになっている。
【００１５】
水槽２７の前後（図１で左右）部における下部の各下方には、それぞれダンパ３３を配設している。このダンパ３３は、例えば摩擦ダンパであり、図２に示す可動ロッド３３ａの上部に取付けたゴムなど摩擦部材（図示せず）をシリンダ３３ｂの内部に密に接触させて有している。
【００１６】
これに対して、前記台板２１の前後部には、下部支持板３４を固定しており、これの上下に防振弾性部材として防振ゴム３５，３６を配置している。そして、その防振ゴム３５，３６及び下部支持板３４を、上記ダンパ３３の可動ロッド３３ａの下部が貫通して、下方部でワッシャ３７を介しナット３８締めして固定している。
又、ダンパ３３のシリンダ３３ｂと上記下部支持板３４上の防振ゴム３５との間には、スプリング３９を上下にそれぞれワッシャ４０，４１を介して配設している。
【００１７】
一方、前記水槽２７の前後部における下部には、上部支持板４２を固定しており、これの上下に防振弾性部材として防振ゴム４３，４４を配置している。そして、その防振ゴム４３，４４及び上部支持板４２を、上記ダンパ３３のシリンダ３３ｂ上における固定シャフト部３３ｃが貫通して、上方部でワッシャ４５を介しナット４６締めして固定している。
かくして、ドラム３０を内設する水槽２７を、前後各１本のダンパ３３及びこれにそれぞれ積層した防振ゴム３５，３６、４３，４４により支持する構成としている。
【００１８】
ここで、防振ゴム３５，３６、４３，４４は、その輪郭が、前記水槽２７の特定方向の振動に対し、その振動の方向と直交する方向と平行に直線状を成す部分を有する形状としており、具体的には、この場合、図３及び図４のそれぞれ（ａ）に平面図で、それぞれ（ｂ）に縦断側面図で示すように、前後左右にそれぞれ直線状を成す部分Ａ，Ｂを有する四角盤形状としている。
【００１９】
従って又、それは、防振ゴム３５，３６、４３，４４のそれぞれの輪郭の前後の直線状部分Ａがドラム３０の軸方向と平行であることであり、又、防振ゴム３５，３６、４３，４４のそれぞれの輪郭の前後左右の直線状部分Ａ，Ｂが、水槽２７の複数の特定方向（この場合、前後方向と左右方向）の振動に対し、その各振動の方向と直交する方向と平行にそれぞれ直線状を成すことでもある。
【００２０】
なお、防振ゴム３５，４４は、中心部に上記ダンパ３３の可動ロッド３３ａ、固定シャフト部３３ｃがそれぞれに貫通する孔３５ａ，４４ａを有すると共に、凸部３５ｂ，４４ｂを有し、防振ゴム３６，４３は、中心部に同じく上記ダンパ３３の可動ロッド３３ａ、固定シャフト部３３ｃがそれぞれに貫通する孔３６ａ，４３ａを有すると共に、防振ゴム３５，４４の上記凸部３５ｂ，４４ｂがそれぞれに嵌合する凹部３６ｂ，４３ｂを有している。
【００２１】
更に、防振ゴム３５，３６、４３，４４は、ダンパ３３の上下両側に存して、その両方の防振ゴム３５と防振ゴム４４、並びに防振ゴム３６と防振ゴム４３が、それぞれ対称形状となっている。
【００２２】
次に、上記構成のものの作用を述べる。
水槽２７が振動したとき、ダンパ３３の可動ロッド３３ａの軸方向に沿う該水槽２７の振動に対しては、ダンパ３３にて減衰力が効果的に得られる。
そして、水槽２７が振動して傾いたときには、図５に示すようになる。なお、この図５は、水槽が傾いた状態を、図中左下がりに傾いた状態で代表して示している。水槽２７が傾いたとき、防振ゴム３５，３６、４３，４４では、水槽２７の軸心からの距離に比例又は反比例して反力が発生し、これが水槽２７の傾きに対する減衰力として作用する。
【００２３】
従来の防振弾性部材（図１４及び図１５に示した防振ゴム２，３、１１，１２）は、いずれも円盤形であったため、その円弧に沿って水槽２７の軸心からの距離が異なり、それに応じて、得られる反力も異なる。一例として図１６に示した水槽の傾きでは、防振ゴム１１，３で、図１７に矢印Ｐで示したように、水槽２７の軸心からの距離の最も大きな部分からその距離が小さくなるに連れ、反力Ｐが漸次小さくなる分布となり、反対に、防振ゴム２，１２で、図１８に同じく矢印Ｐで示したように、水槽の軸心からの距離の最も小さな部分からその距離が大きくなるに連れ、反力Ｐが漸次小さくなる分布となる。このため、従来のものでは、水槽の傾きに対する減衰力が充分に得られなかったのは既述のとおりである。
【００２４】
これに対して、上述のように、防振ゴム３５，３６、４３，４４を、その輪郭が、水槽２７の特定方向の振動に対し、その振動の方向と直交する方向と平行に直線状を成す部分を有する形状としたものでは、図６及び図７に示すように、大きな反力Ｐを生じる、防振ゴム３５，３６、４３，４４の水槽２７軸心からの距離の大きな部分が多くなり、それだけ、総合的に大きな反力Ｐを生じるようになって、水槽２７の傾きに対する減衰力を充分に得ることができる。
【００２５】
なお、水槽２７が振動したときの傾きは、ドラム３０内に片寄って位置した洗濯物の遠心力によるものであり、そのときのドラム３０の回転は図１で時計回り又は反時計回りであるから、主として前後方向（図１では左右方向）に振動が発生することによるものである。従って、この場合の水槽２７の特定方向の振動とは前後方向の振動を指し、防振ゴム３５，３６、４３，４４は、その輪郭が水槽２７の前後方向の振動に対し、その振動の方向と直交する方向である左右方向と平行に直線状を成す部分Ａを有するものとしているのである。
【００２６】
そして、それは、すなわち、防振ゴム３５，３６、４３，４４のそれぞれの輪郭の直線状部分Ａがドラム３０の軸方向と平行であることでもあり、このようにしたことによって、上述のごとく主として発生する方向の振動による水槽２７の傾きに対してより効果的に作用し、よって、その水槽２７の傾きに対する減衰力を充分且つより効果的に得ることができる。
【００２７】
加えて、本構成のものの場合、防振ゴム３５，３６、４３，４４は、その輪郭が、水槽２７の複数の特定方向（上記前後方向と左右方向）の振動に対し、その各振動の方向と直交する方向と平行にそれぞれ直線状を成す部分Ａ，Ｂを有する形状としており、これによって、複数の特定方向の振動による水槽２７の傾きに対してそれぞれ効果的に作用し、よって、その水槽２７の複数の特定方向の傾きに対する減衰力をそれぞれ充分且つ効果的に得ることができる。
【００２８】
更に、本構成のものの場合、防振ゴム３５，３６、４３，４４は、ダンパ３３の上下両側に存して、その両方の防振ゴム３５，４４、３６，４３を対称形状としており、これによって、上述の水槽２７の傾きに対する減衰作用をダンパ３３の上下両側で得ることができるから、減衰効果もより高く得ることができる。しかも、この場合、防振ゴム３５，３６、４３，４４はダンパ３３の上下両側でそれぞれ同一のものが使用できるから、合理的に構成できる。
【００２９】
以上に対して、図８ないし図１２は本発明の第２ないし第４実施例（第２ないし第４の実施形態）を示すもので、第１実施例と同一の部分には同一の符号を付して説明を省略し、異なる部分についてのみ述べる。
【００３０】
［第２実施例］
図８に示す第２実施例においては、上述の防振ゴム３５，３６、４３，４４に代わって、前後部のみ直線状で、すなわち、直線状部分Ａのみを有し、左右部が曲面状となった（直線状部分Ｂを有さない）防振ゴム５１を使用するようにしている。なお、この防振ゴム５１は、一つで防振ゴム３５，３６、４３，４４の分の全部を代表して示しており、その全部の平面形状がそれと同じになることを示している。
【００３１】
このようにすることによって、複数の特定方向ではないものの、一つの特定方向である前後方向の振動による水槽２７の傾きに対して効果的に作用し、よって、その水槽２７の前後方向の傾きに対する減衰力を充分に得ることができる。
【００３２】
［第３実施例］
図９に示す第３実施例においては、これも、上述の防振ゴム３５，３６、４３，４４に代わって、前後、左右と、その各中間部にそれぞれ直線状を成す部分Ａ，Ｂ，Ｃを有する八角盤形状を成す防振ゴム６１を使用するようにしている。なお、この防振ゴム６１も、一つで防振ゴム３５，３６、４３，４４の分の全部を代表して示しており、その全部の平面形状がそれと同じになることを示している。
【００３３】
このようにすることによって、前述の四角盤形状を成した防振ゴム３５，３６、４３，４４より更に多くの特定方向の振動による水槽２７の傾きに対して防振ゴム５１がそれぞれ効果的に作用し、よって、その水槽２７の多くの特定方向の傾きに対する減衰力をそれぞれ充分且つ効果的に得ることができる。
【００３４】
［第４実施例］
図１０ないし図１２に示す第４実施例においては、上記第１ないし第３実施例のいずれか（この場合、一例として第１実施例）の平面形状の防振ゴム７１〜７４と、これが面する支持部材である下部支持板３４並びに上部支持板４２とが、常時は、防振ゴム７１〜７４の輪郭の直線状部分Ａ（Ｂ，Ｃ）側より内側で接し、防振ゴム７１の輪郭の直線状部分Ａ（Ｂ，Ｃ）側で接触しないように、防振ゴム７１の直線状部分Ａ（Ｂ，Ｃ）側部分にそれぞれ斜面７５を形成している（図１１は、それを、防振ゴム７１の直線状部分Ａ側部分にのみ斜面７５を形成したもので代表して示しており、他の例として、直線状部分Ｂ，Ｃ側部分にも斜面７５を形成する構成が存在する）。
【００３５】
このようにすることによって、水槽２７がほとんど傾かない定常状態では、図１０に示すように、防振ゴム７１〜７４と下部支持板３４並びに上部支持板４２との接触面積を小さくできて、この定常時における水槽２７の振動が防振ゴム７１〜７４と下部支持板３４並びに上部支持板４２との接触部を通じて床面に伝わるのを少なくできる。又、それでいて、水槽２７の振動が大きくなって傾きが大きくなれば、図１２に示すように、防振ゴム７１〜７４の直線状部分Ａ（Ｂ，Ｃ）が下部支持板３４並びに上部支持板４２に接触するようになって、前述の作用効果が得られる。かくして、水槽２７の定常時と共振時の両方において、水槽２７の振動、傾きを小さくすることができる。
【００３６】
なお、この場合も、防振ゴム７１〜７４は、ダンパ３３の上下両側に存して、その両方の防振ゴム７１〜７４を対称形状としている。
このほか、防振ゴムで例示した防振弾性部材は、ゴム以外の弾性材、例えばプラスチック等から成るものであっても良いなど、本発明は上記し且つ図面に示した実施例にのみ限定されるものではなく、要旨を逸脱しない範囲内で適宜変更して実施し得る。
【図面の簡単な説明】
【００３７】
【図１】本発明の第１実施例を示す全体の縦断側面図
【図２】主要部分の拡大縦断側面図
【図３】一つの防振ゴムを拡大平面図（ａ）と拡大縦断側面図（ｂ）とで示す図
【図４】他の防振ゴムを拡大平面図（ａ）と拡大縦断側面図（ｂ）とで示す図
【図５】主要部分の作用を説明するための拡大縦断側面図
【図６】一つの防振ゴムの作用を説明するための拡大斜視図
【図７】他の防振ゴムの作用を説明するための拡大斜視図
【図８】本発明の第２実施例を示す図３（ａ）相当図
【図９】本発明の第３実施例を示す図３（ａ）相当図
【図１０】本発明の第４実施例を示す図２相当図
【図１１】防振ゴムの拡大斜視図
【図１２】図５相当図
【図１３】従来例を示す図２相当図
【図１４】図３相当図
【図１５】図４相当図
【図１６】図５相当図
【図１７】図６相当図
【図１８】図７相当図
【符号の説明】
【００３８】
図面中、２７は水槽、３０はドラム、３３はダンパ、３４は下部支持板（支持部材）、３５，３６は防振ゴム（防振弾性部材）、４２は上部支持板（支持部材）、４３，４４，５１，６１，７１〜７４は防振ゴム（防振弾性部材）を示す。
【図１】
2006061613.tif 000003
【図２】
2006061613.tif 000004
【図３】
2006061613.tif 000005
【図４】
2006061613.tif 000006
【図５】
2006061613.tif 000007
【図６】
2006061613.tif 000008
【図７】
2006061613.tif 000009
【図８】
2006061613.tif 000010
【図９】
2006061613.tif 000011
【図１０】
2006061613.tif 000012
【図１１】
2006061613.tif 000013
【図１２】
2006061613.tif 000014
【図１３】
2006061613.tif 000015
【図１４】
2006061613.tif 000016
【図１５】
2006061613.tif 000017
【図１６】
2006061613.tif 000018
【図１７】
2006061613.tif 000019
【図１８】
2006061613.tif 000020